(57)【特許請求の範囲】
【請求項１】
空調機の状態監視および動作制御を行う空調システム制御装置であって、
前記空調機が検出した室内温度の情報を少なくとも含む運転データを取得する通信部と、
前記空調機に設定する運転能力がそれぞれ異なる複数の運転パターンを有し、該複数の運転パターンから選択されたパターンに基づき前記空調機を制御する制御部と、
前記複数の運転パターンに関する情報を表示する表示部と、
前記複数の運転パターンから任意のパターンを選択する操作が入力される入力部と、
を備え、
前記制御部は、
前記複数の運転パターンのそれぞれについて、
現在の前記室内温度と、前記空調機に設定する運転能力とに基づき、前記室内温度が目標温度に達するまでに要する到達時間、および、前記室内温度が目標温度に達するまでの間に当該空調機で消費される消費電力量を求め、
前記表示部は、
前記複数の運転パターンのそれぞれについて、同時に、
少なくとも、前記到達時間および前記消費電力量の情報を表示する
ことを特徴とする空調システム制御装置。
【請求項２】
前記複数の運転パターンには、省エネ運転パターンと、快適運転パターンとを含み、
前記制御部は、
前記快適運転パターンが選択された場合、前記空調機の運転能力を最大値に設定し、
前記省エネ運転パターンが選択された場合、現在の前記室内温度と前記目標温度との温度差に応じた所定の運転能力を前記空調機に設定する
ことを特徴とする請求項１記載の空調システム制御装置。
【請求項３】
空調機の状態監視および動作制御を行う空調システム制御装置であって、
前記空調機が検出した室内温度の情報を少なくとも含む運転データを取得する通信部と、
前記空調機に設定する運転能力がそれぞれ異なる複数の運転パターンを有し、該複数の運転パターンから選択されたパターンに基づき前記空調機を制御する制御部と、
前記複数の運転パターンに関する情報を表示する表示部と、
前記複数の運転パターンから任意のパターンを選択する操作が入力される入力部と、
を備え、
前記複数の運転パターンには、ユーザ設定運転パターンを含み、
前記入力部は、目標到達時間の情報が入力され、
前記制御部は、
前記複数の運転パターンのそれぞれについて、
現在の前記室内温度と、前記空調機に設定する運転能力とに基づき、前記室内温度が目標温度に達するまでに要する到達時間、および、前記室内温度が目標温度に達するまでの間に当該空調機で消費される消費電力量を求め、
前記ユーザ設定運転パターンが選択された場合、
前記目標到達時間と現在の前記室内温度とに基づき、前記室内温度が目標温度に達するまでに要する時間が、前記目標到達時間となる前記空調機の運転能力を求め、該運転能力を前記空調機に設定し、
前記表示部は、
前記複数の運転パターンのそれぞれについて、
少なくとも、前記到達時間および前記消費電力量の情報を表示する
ことを特徴とする空調システム制御装置。
【請求項４】
空調機の状態監視および動作制御を行う空調システム制御装置であって、
前記空調機が検出した室内温度の情報を少なくとも含む運転データを取得する通信部と、
前記空調機に設定する運転能力がそれぞれ異なる複数の運転パターンを有し、該複数の運転パターンから選択されたパターンに基づき前記空調機を制御する制御部と、
前記複数の運転パターンに関する情報を表示する表示部と、
前記複数の運転パターンから任意のパターンを選択する操作が入力される入力部と、
を備え、
前記複数の運転パターンには、ユーザ設定運転パターンを含み、
前記入力部は、目標消費電力量の情報が入力され、
前記制御部は、
前記複数の運転パターンのそれぞれについて、
現在の前記室内温度と、前記空調機に設定する運転能力とに基づき、前記室内温度が目標温度に達するまでに要する到達時間、および、前記室内温度が目標温度に達するまでの間に当該空調機で消費される消費電力量を求め、
前記ユーザ設定運転パターンが選択された場合、
前記目標消費電力量と現在の前記室内温度とに基づき、前記室内温度が目標温度に達するまでの間に前記空調機で消費される消費電力量が、前記目標消費電力量となる前記空調機の運転能力を求め、該運転能力を前記空調機に設定し、
前記表示部は、
前記複数の運転パターンのそれぞれについて、
少なくとも、前記到達時間および前記消費電力量の情報を表示する
ことを特徴とする空調システム制御装置。
【請求項５】
空調機の状態監視および動作制御を行う空調システム制御装置であって、
前記空調機が検出した室内温度の情報を少なくとも含む運転データを取得する通信部と、
前記空調機に設定する運転能力がそれぞれ異なる複数の運転パターンを有し、該複数の運転パターンから選択されたパターンに基づき前記空調機を制御する制御部と、
前記複数の運転パターンに関する情報を表示する表示部と、
前記複数の運転パターンから任意のパターンを選択する操作が入力される入力部と、
を備え、
前記運転データは、運転モードおよび室内湿度の情報を含み、
前記制御部は、
前記複数の運転パターンのそれぞれについて、
現在の前記室内温度と、前記空調機に設定する運転能力とに基づき、前記室内温度が目標温度に達するまでに要する到達時間、および、前記室内温度が目標温度に達するまでの間に当該空調機で消費される消費電力量を求め、
前記空調機の運転モードが冷房運転の場合、
前記複数の運転パターンのそれぞれについて、
現在の前記室内温度および現在の前記室内湿度とに基づき、前記室内温度が目標温度に達するまでの間の、不快指数の積算値を求め、
前記表示部は、
前記複数の運転パターンのそれぞれについて、
少なくとも、前記到達時間および前記消費電力量の情報と、前記不快指数の積算値に関する情報とを表示する
ことを特徴とする空調システム制御装置。
【請求項６】
前記制御部は、
予め設定された、不快指数の積算値の範囲と不快レベルとの対応情報に基づき、前記不快指数の積算値に対応する不快レベルを求め、
前記表示部は、
前記不快レベルの情報を表示する
ことを特徴とする請求項５記載の空調システム制御装置。
【請求項７】
前記通信部は、複数の前記空調機から前記運転データを取得し、
前記制御部は、
前記複数の空調機のそれぞれについて、前記運転データに基づき、現在の瞬時電力を求め、
前記表示部は、
前記複数の空調機のそれぞれについて、
前記瞬時電力、前記室内温度、および前記目標温度の情報を表示する
ことを特徴とする請求項１〜６の何れか一項に記載の空調システム制御装置。
【請求項８】
前記通信部は、複数の前記空調機から、運転モードおよび室内湿度の情報を含む前記運転データを取得し、
前記制御部は、
前記複数の空調機のうち運転モードが冷房運転である空調機について、前記運転データに基づき、現在の不快指数を求め、
前記表示部は、
運転モードが冷房運転である前記空調機について、前記不快指数の情報を表示する
ことを特徴とする請求項１〜７の何れか一項に記載の空調システム制御装置。
【請求項９】
前記通信部は、
当該空調システム制御装置が制御対象とする複数の前記空調機の瞬時電力の合計値が、所定値を下回るように前記各空調機をデマンド制御するデマンド判断装置から、１つまたは複数の空調機の運転能力の低下を指示するデマンド信号を取得し、
前記制御部は、
前記選択された運転パターンにかかわらず、前記デマンド信号により指示された前記空調機の運転能力を、デマンド制御に対応した所定の運転能力に設定し、
該運転能力と現在の前記室内温度とに基づき、前記室内温度が目標温度に達するまでに要する到達時間、および、前記室内温度が目標温度に達するまでの間に当該空調機で消費される消費電力量を求め、
前記表示部は、
前記デマンド制御時における、前記到達時間および前記消費電力量の情報を表示する
ことを特徴とする請求項１〜８の何れか一項に記載の空調システム制御装置。
【発明の詳細な説明】
【技術分野】
【０００１】
本発明は、空調機の状態監視および動作制御を行う空調システム制御装置に関する。
【背景技術】
【０００２】
従来、空調システムを管理するＢＥＭＳ（ビルエネルギーマネージメントシステム）においては省エネルギー化が注目され、省エネルギー化を実現するシステムの構築が望まれている。
【０００３】
省エネルギー効果を表示する技術として、例えば「空調システムの表示装置において、該空調システムの調節手段による制御状況と該調節手段の調節によって得られる省エネルギ効果との関連を示した円グラフや棒グラフ等の図形グラフで同一画面に表示したことを特徴とする。例えば、給気量とインバータ周波数の関係を示す図形グラフ、給気量と消費電力の関係を示す図形グラフ、及び省エネルギ量を示す図形グラフとを同一画面に表示した。」ものが提案されている（例えば、特許文献１参照）。
【０００４】
また例えば、「デマンドが契約電力を超えないようにして契約種別を維持するとともに、消費電力の大小に応じた省エネルギー運用を効率的かつ低コストにて実現可能とした省エネルギー制御システムを提供する。」ものが提案されている（例えば、特許文献２参照）。
【０００５】
また、空気調和機の表示装置において、「設定された室温に到達するまでの間の時間もしくは運転状態を指標表示する」ものが提案されている（例えば、特許文献３参照）。
【先行技術文献】
【特許文献】
【０００６】
【特許文献１】特開２００６−２９２２７９号公報（要約）
【特許文献２】特開２００９−１１５３９２号公報（要約）
【特許文献３】特開平１−２５２８５０号公報（特許請求の範囲）
【発明の概要】
【発明が解決しようとする課題】
【０００７】
一般に、空調機の消費電力量を低減させて省エネルギー化を図る場合、空調機の運転能力を低減させることとなるため、運転能力が大きい場合と比較して、目標温度に到達するまでの時間が長くなる。このため省エネルギー化を図る運転では快適性が損なわれることとなる。一方、快適性を重視してより速く目標温度に到達するように、空調機の運転能力を大きくした場合には、省エネルギー化を図る運転と比較して、その消費電力量が大きくなる。
【０００８】
従来の空調システム制御装置には、省エネルギー効果を表示させ利用者に省エネルギー化を図らせるものはあったが、例えば省エネルギー化を図った運転と快適性を重視してより速く目標温度に達するような運転とを比較するなど、複数の運転条件（運転パターン）について、運転状況と省エネルギー効果および在室者の快適性との関係を比較することができない、という問題点があった。
このため、室内の快適性と省エネルギー効果とを考慮した空調機の制御を行うことができない、という問題点があった。
【０００９】
本発明は、上記のような課題を解決するためになされたもので、空調機の運転能力が異なる複数の運転パターンについて、室内の快適性と省エネルギー効果とに関する情報を表示することができる空調システム制御装置を得るものである。
【課題を解決するための手段】
【００１０】
本発明に係る空調システム制御装置は、空調機の状態監視および動作制御を行う空調システム制御装置であって、前記空調機が検出した室内温度の情報を少なくとも含む運転データを取得する通信部と、前記空調機に設定する運転能力がそれぞれ異なる複数の運転パターンを有し、該複数の運転パターンから選択されたパターンに基づき前記空調機を制御する制御部と、前記複数の運転パターンに関する情報を表示する表示部と、前記複数の運転パターンから任意のパターンを選択する操作が入力される入力部と、を備え、前記制御部は、前記複数の運転パターンのそれぞれについて、現在の前記室内温度と、前記空調機に設定する運転能力とに基づき、前記室内温度が目標温度に達するまでに要する到達時間、および、前記室内温度が目標温度に達するまでの間に当該空調機で消費される消費電力量を求め、前記表示部は、前記複数の運転パターンのそれぞれについて、同時に、少なくとも、前記到達時間および前記消費電力量の情報を表示するものである。
【発明の効果】
【００１１】
本発明は、空調機の運転能力が異なる複数の運転パターンについて、室内の快適性と省エネルギー効果とに関する情報を表示することができる。
【図面の簡単な説明】
【００１２】
【図１】実施の形態１に係る空調システム制御装置が配置されるビル管理構成を示す組織図である。
【図２】実施の形態１に係る空調システム制御装置の構成を示すブロック図である。
【図３】実施の形態１に係る空調システム制御装置の表示・設定部の画面遷移を示す状態遷移図である。
【図４】実施の形態１に係る現在の運転状態表示画面を示す図である。
【図５】実施の形態１に係る冷房運転時の空調機設定画面を示す図である
【図６】実施の形態１に係る冷房運転時の空調機設定画面を示す図である
【図７】実施の形態１に係る空調機設定画面の表示動作および運転パターンの選択動作を示すフローチャートである。
【図８】実施の形態１に係る運転能力比選定表の一例を示す図である。
【図９】実施の形態１に係る不快指数表示指標の表示例を示す図である。
【図１０】実施の形態２に係る冷房運転時の空調機設定画面を示す図である
【図１１】実施の形態２に係る空調機設定画面の表示動作および運転パターンの選択動作を示すフローチャートである。
【図１２】実施の形態３に係る消費電力表示画面を示す図である。
【図１３】実施の形態４に係る不快指数表示画面を示す図である。
【図１４】実施の形態５に係る空調システム制御装置が配置されるビル管理構成を示す組織図である。
【図１５】実施の形態５に係る冷房運転時の空調機設定画面を示す図である
【図１６】実施の形態５に係る空調機設定画面の表示動作および運転パターンの選択動作を示すフローチャートである。
【発明を実施するための形態】
【００１３】
実施の形態１．
本実施の形態１における空調システム制御装置は、利用者が室内の快適性と省エネルギー効果の両方の面から、空調機を制御する運転パターンを選択可能とするものである。
【００１４】
（システム構成）
図１は実施の形態１に係る空調システム制御装置が配置されるビル管理構成を示す組織図である。
図１において、本実施の形態に係る空調システム制御装置２は、ビル等の建物内の各種設備を統合的に管理するビル管理システム１に接続される。この空調システム制御装置２には、各フロア（１）〜（５）に設置された空調機３（１）〜（５）が接続される。
【００１５】
空調機３には、温度センサー・湿度センサー４が設けられ、当該空調機３が設置された室内空気の温度（以下、室内温度という）と、室内空気の湿度（以下、室内湿度という）の情報を空調システム制御装置２に送信する。また、空調機３は、冷房・暖房・送風運転などの運転モードや運転能力などの情報を空調システム制御装置２に送信する。
なお、以下の説明において「運転データ」には、空調機３の室内温度、室内湿度、運転モード、および運転能力が含まれる。
【００１６】
空調システム制御装置２は、ビル管理システム１からの動作制御に関する指令情報を、該当する空調機３に送信し、また空調機３から受信した運転データをビル管理システム１に送信する。さらに、空調システム制御装置２は、空調機３に対して動作制御に関する指令情報を送信し、また空調機３から受信した運転データに関する情報を画面に表示させることで、複数の空調機３の状態監視および動作制御を行う。詳細は後述する。
【００１７】
なお、本実施の形態では、空調システム制御装置２がビル管理システム１に接続される構成を説明するが本発明はこれに限るものではなく、空調システム制御装置２とこれに接続される空調機３の構成でも良い。
また、図１の例では、各フロアに１台の空調機３を設置した場合を示すが、これに限らず、１つのフロアに複数の空調機３を設置しても良い。
また、空調機３が複数の場合を説明するが、空調システム制御装置２が状態監視および動作制御を行う空調機３が１台であっても良い。
【００１８】
（空調システム制御装置２の構成）
図２は実施の形態１に係る空調システム制御装置の構成を示すブロック図である。
図２において、空調システム制御装置２は、通信部５、演算部６、表示・設定部７、および、運転データ記憶部８を備えている。
【００１９】
通信部５は、空調機３と通信線で接続され、空調機３からの運転データを受信し、空調機３に対する動作制御に関する情報を送信する。
また、通信部５は、ビル管理システム１と通信線で接続され、ビル管理システム１からの指令情報を受信し、空調機３からの運転データをビル管理システム１に送信する。
なお、通信部５とビル管理システム１との間、通信部５と空調機３との間の通信は、無線通信でも良い。
【００２０】
演算部６は、空調機３に設定する運転能力がそれぞれ異なる複数の運転パターンを有し、この複数の運転パターンから選択されたパターンに基づき空調機３を制御する。
また、演算部６は、選択された運転モードについて、室内温度が目標温度に達するまでに要する到達時間、室内温度が目標温度に達するまでの間に空調機３で消費される消費電力量、不快指数の積算値を算出する。詳細は後述する。
なお、演算部６は、本発明における「制御部」に相当する。
【００２１】
表示・設定部７は、通信部５で収集された運転データに関する情報、演算部６で算出された運転パターン毎の到達時間、消費電力量、不快指数の積算値に関する情報、運転データ記憶部８に記憶された過去のデータなどを表示し、利用者に空調機の運転情報を提示する。表示画面の詳細は後述する。
また、表示・設定部７は、利用者からの操作により、各種画面の切り替え操作や、複数の運転パターンから任意のパターンを選択する操作、目標到達時間や目標消費電力量（後述）の情報が入力される。
なお、表示・設定部７は、本発明における「表示部」および「入力部」に相当する。
【００２２】
運転データ記憶部８は、空調機３から取得された過去の運転データを記憶する。また運転データ記憶部８には、予め、演算部６の演算に用いる各種テーブル情報や、表示・設定部７に表示する各種画面の情報が記憶されている。
【００２３】
通信部５は、ＬＡＮインターフェースなどのネットワークインターフェースにより構成することができる。
演算部６は、この機能を実現する回路デバイスなどのハードウェアで実現することもできるし、マイコンやＣＰＵなどの演算装置上で実行されるソフトウェアとして実現することもできる。
表示・設定部７は、ＬＣＤ（Ｌｉｐｕｉｄ  Ｃｒｙｓｔａｌ  Ｄｉｓｐｌａｙ）などの任意の表示装置と、タッチパネルなどの任意の入力装置とにより構成することができる。
運転データ記憶部８は、ＨＤＤ（Ｈａｒｄ  Ｄｉｓｋ  Ｄｒｉｖｅ）やフラッシュメモリなどの任意の記憶媒体により構成することができる。
【００２４】
（表示・設定部７の画面遷移）
次に、表示・設定部７に表示する画面の遷移について説明する。
図３は実施の形態１に係る空調システム制御装置の表示・設定部の画面遷移を示す状態遷移図である。
表示・設定部７は、現在の運転状態表示画面９を初期画面として表示する。
図３において、表示・設定部７が表示する画面は、現在の運転状態表示画面９から空調機設定画面１０に遷移する。また、現在の運転状態表示画面９から、消費電力表示画面１１、または、不快指数表示画面１２を経由して、空調機設定画面１０に遷移する。
利用者は、現在の運転状態表示画面９で、設定したい空調機３が見つかった場合は、設定変更したい空調機３を選択し、空調機設定画面１０に遷移させる。
また利用者は、現在の省エネルギー度合いを各空調機一括で確認したい場合、消費電力表示画面１１に遷移させる。そして利用者は必要により、消費電力表示画面１１で、設定変更したい空調機３を選択し、空調機設定画面１０に遷移させる。
また利用者は、不快指数を各空調機一括で確認したい場合、不快指数表示画面１２に遷移する。そして利用者は必要により、不快指数表示画面１２で、設定したい空調機３を選択し、空調機設定画面１０に遷移させる。
【００２５】
（現在の運転状態表示画面９）
図４は実施の形態１に係る現在の運転状態表示画面を示す図である。
図４に示すように、現在の運転状態表示画面９には、各空調機３の運転状態（運転／停止）および設置場所の室内温度（室温）を表示する項目１３が設定されている。
また、現在の運転状態表示画面９には、操作ボタン４１、消費電力表示画面ボタン４２、不快指数表示画面ボタン４３が設けられている。
利用者により、消費電力表示画面ボタン４２を選択する操作が入力されると、消費電力表示画面１１に画面遷移する。また、不快指数表示画面ボタン４３を選択する操作が入力されると、不快指数表示画面１２に画面遷移する。
なお、消費電力表示画面１１の詳細は実施の形態３で、不快指数表示画面１２の詳細は実施の形態４で説明する。
【００２６】
利用者により、空調機３を選択する操作の後、操作ボタン４１を選択する操作が入力されると、当該空調機３に係る空調機設定画面１０に画面遷移する。
【００２７】
（空調機設定画面１０）
図５、図６は実施の形態１に係る冷房運転時の空調機設定画面を示す図である。
図５においては、現在温度が目標温度より高い場合における冷房運転時の空調機設定画面の一例を示し、図６においては、現在温度が目標温度より低い場合における冷房運転時の空調機設定画面の一例を示している。
【００２８】
空調機設定画面１０には、当該空調機３の現在の室内温度、当該空調機３に設定された目標温度を表示する。また、複数の運転パターンのそれぞれについて、到達時間、消費電力量の情報を表示する。また、空調機３の運転モードが冷房運転の場合には、不快レベルの情報を表示する。
ここでは、運転パターンとして、省エネ運転パターン（以下、省エネ運転という）と、快適運転パターン（以下、快適運転という）とを有する場合を説明する。
快適運転は、空調機３の運転能力を最大値（１００％）に設定し、室内温度を極力速く目標温度に到達させる運転である。
省エネ運転は、省エネルギーを重視した運転であり、予め設定された運転能力を空調機３に設定し、上記快適運転と比較して目標温度への到達時間は長くなるが、消費電力量が削減できる運転である。
【００２９】
図５、図６において、空調機設定画面１０には、現在温度１４、目標温度１５、省エネ運転の詳細データ項目１９、快適運転の詳細データ項目２０、グラフ１６、不快指数ボタン３１、消費電力ボタン３２の表示項目が設けられている。
現在温度１４は、通信部５により取得された運転データに基づき、当該空調機３の現在の室内温度の計測値である。
目標温度１５は、利用者の入力操作により当該空調機３に設定された温度である。
なお、目標温度１５は、例えばビル管理システム１からの指令情報、または、空調機３に設けられたリモコン等からの入力により設定しても良い。
【００３０】
省エネ運転の詳細データ項目１９、および快適運転の詳細データ項目２０は、それぞれ、到達時間２１、消費電力量２３の情報を有する。また、当該空調機３の運転モードが冷房運転の場合、省エネ運転の詳細データ項目１９、および快適運転の詳細データ項目２０は、それぞれ、不快レベル２２の情報を有する。
到達時間２１は、室内温度が目標温度に達するまでに要する時間［分］の予測値である。
不快レベル２２は、室内温度が目標温度に達するまでの間の、不快指数の積算値の予測値に応じて、例えば５段階のレベルに区分したレベル値である。詳細は後述する。
消費電力量２３は、室内温度が目標温度に達するまでの間に当該空調機３で消費される電力量［ｋＷｈ］の予測値である。
演算部６は、省エネ運転および快適運転のそれぞれについて、通信部５により取得された運転データに基づき、到達時間２１、不快レベル２２、消費電力量２３を求める。表示・設定部７は、省エネ運転の詳細データ項目１９、および快適運転の詳細データ項目２０に、これらの情報を表示する。なお、各予測値の算出動作の詳細は後述する。
【００３１】
例えば、図５の例では、省エネ運転で運転した場合、現在の室内温度「２８℃」から目標温度「２４℃」に低下させるのに要する到達時間が「５０分」であり、この運転における不快レベルは「レベル３」、消費電力量は「０．５ｋＷｈ」であることを示している。また、快適運転で運転した場合、到達時間が「２０分」であり、この運転における不快レベルは「レベル１」、消費電力量は「１．０ｋＷｈ」であることを示している。
【００３２】
グラフ１６は、縦軸を室内温度（℃）、横軸を時間（分）として、現時点を０分とし、所定時間（例えば６０分間）における室内温度の予測値を、各運転パターン毎にグラフ化して表示するものである。
【００３３】
例えば、図５、図６の例では、現時点（０分）から６０分間について、省エネ運転で運転した場合での室内温度の予測を予測線１７（点線）で示し、快適運転で運転した場合での室内温度の予測を予測線１８（実線）で示している。
このように、各運転パターンについて温度変化の予測値をグラフ化して表示することで、利用者は各パターンの温度変化状況を視覚的に認識できる。
【００３４】
不快指数ボタン３１は、グラフ１６の縦軸を不快指数に変更するための操作項目である。消費電力ボタン３２は、グラフ１６の縦軸を消費電力に変更するための操作項目である。
利用者の必要により、不快指数ボタン３１または消費電力ボタン３２を選択する操作を入力することで、グラフ１６の縦軸が、室内温度から不快指数あるいは消費電力に切り替わり、所定時間（例えば６０分間）の予測値が視覚的に表示される。
なお、空調機３が暖房運転の場合には不快指数ボタン３１の操作を無効にしても良い。
【００３５】
（動作）
図７は実施の形態１に係る空調機設定画面の表示動作および運転パターンの選択動作を示すフローチャートである。
以下、図７の各ステップに基づき説明する。
【００３６】
（Ｓ１０１）
初期画面（現在の運転状態表示画面９）において、利用者により、空調機３を選択する操作の後、操作ボタン４１を選択する操作が入力される。表示・設定部７は、選択された空調機３に係る空調機設定画面１０の表示を開始する。
（Ｓ１０２）
利用者は、当該空調機３に対する目標温度１５の情報を表示・設定部７から入力する。
（Ｓ１０３）
演算部６は、空調機３の運転データを取得し、各運転パターンのそれぞれについて、到達時間２１、消費電力量２３の予測値、および運転能力を求める。また、当該空調機３が冷房運転の場合には、不快指数の積算値の予測値、および、これに対応する不快レベル２２を求める。
以下、各予測値と運転能力について詳述する。
【００３７】
（運転能力）
（ａ）省エネ運転
運転データ記憶部８には、予め、現在温度１４と目標温度１５の温度差と、省エネ運転における運転能力と、到達時間２１との対応情報が記憶される。
【００３８】
例えば、現在温度１４が目標温度１５よりも高い場合には、運転能力を最大値の５０％とし、この運転能力で空調機３を運転した場合の温度低下傾向を実験値やシミュレーション等により取得して、各温度差毎の到達時間２１を予め記憶させる。
また例えば、現在温度１４が目標温度１５よりも低い場合には、運転を停止（運転能力０％）とし、このときの温度上昇傾向を実験値やシミュレーション等により取得して、各温度差毎の到達時間２１を予め記憶させる。
なお、過去の運転データに応じて、運転データ記憶部８に記憶した対応情報を更新するようにしても良い。例えば、過去の省エネ運転による到達時間２１の実測値を取得し、このときの温度差に対応する情報を当該実測値に更新するようにしても良い。
【００３９】
演算部６は、通信部５により取得された現在温度１４と、表示・設定部７から入力された目標温度１５とに基づき温度差を求め、運転データ記憶部８を参照して、当該温度差に対応する省エネ運転における運転能力の情報を取得する。
（ｂ）快適運転
運転データ記憶部８には、予め、快適運転における運転能力の情報として最大値（１００％）が記憶されている。なお、快適運転時の運転能力はこれに限らず、省エネ運転よりも大きい任意の運転能力を記憶させても良い。
演算部６は、運転データ記憶部８を参照して、快適運転における運転能力の情報（最大値）を取得する。
【００４０】
（到達時間）
（ａ）省エネ運転
演算部６は、運転データ記憶部８を参照して、上述した省エネ運転における対応情報から、温度差に対応する到達時間２１を取得し、これを予測値とする。
（ｂ）快適運転
運転データ記憶部８には、予め、快適運転における運転能力（最大値）で空調機３を運転させた場合の温度低下速度（温度傾斜）の情報が記憶される。
この温度低下速度は、例えば実験値やシミュレーション等などにより設定する。また、過去の運転データからの実測値から、当該情報を更新するようにしても良い。
演算部６は、運転データ記憶部８を参照して、当該空調機３の温度低下速度を取得する。そして、現在温度１４と目標温度１５の温度差を、温度低下速度で除算した値を、到達時間２１の予測値とする。
【００４１】
（消費電力量）
運転データ記憶部８には、予め、空調機３の運転能力と、消費電力との関係の情報が記憶されている。例えば、運転能力を消費電力に変換する変換係数の情報が記憶される。
演算部６は、各運転パターンのそれぞれについて、上記により取得した運転能力を消費電力に換算し、この消費電力を目標温度に到達するまで積算することで消費電力量を予測する。
また、目標温度に到達した後、この温度を維持する定常の運転時での運転能力は、当該目標温度に基づき求めることができる。例えば運転データ記憶部８に、予め、温度毎に、当該温度を維持する運転時の運転能力の情報を記憶し、演算部６はこれを参照することで運転能力を取得し、運転能力を消費電力に換算する。
このようにして、現時点から所定時間（６０分間）の間に消費される電力量を、消費電力量２３として予測する。
【００４２】
なお、予測される室内温度と室内湿度とから運転能力を導出するようにしても良い。
例えば、図８に示すような運転能力比選定表３９の情報を、予め、運転データ記憶部８に記憶させる。
そして、演算部６は、現在温度１４、目標温度１５、予測した到達時間２１に基づき、温度変化速度（温度傾斜）を求めて、単位時間ごと（分単位）の室内温度を求める。
また、運転データ記憶部８に、予め、温度変化速度（温度傾斜）に対する湿度変化速度（湿度傾斜）の情報を記憶させておき、上記により求めた温度傾斜から当該運転パターンでの湿度傾斜を求める。演算部６は、この情報と、通信部５から取得した現在の室内湿度との情報から、単位時間ごと（分単位）の室内湿度を求める。
このようにして求めた各単位時間（分単位）の室内温度・室内湿度の情報から、ｈ−ｘ線図を用いて、空調機３の乾球温度［℃ＤＢ］、湿球温度［℃ＷＢ］を算出する。そして、図８のような運転能力比選定表３９から、該当する運転能力比４０を導出する。運転能力比４０を消費電力に変換する変換係数を、各単位時間（分単位）の運転能力比４０に乗算し、これを積算することで、所定時間（６０分間）の間に消費される電力量を、消費電力量２３として予測するようにしても良い。
【００４３】
なお、ここでは所定時間の間に消費される電力量を予測したが、本発明はこれに限るものではなく、室内温度が目標温度に達するまでの間に消費される電力量を、消費電力量２３としても良い。
【００４４】
（不快指数の算出）
不快指数は、温度Ｔｄ［℃］と湿度Ｈ［％］とから、下記の式により定義される指数である。なお、下記式は周知のものであり、一般的に用いられている。
不快指数＝０．８１Ｔｄ＋０．０１Ｈ（０．９９Ｔｄ−１４．３）＋４６．３
【００４５】
演算部６は、通信部５が取得した現在の室内温度と室内湿度とに基づき、各運転パターンにおける、各単位時間ごとの（分単位）の室内温度と室内湿度とを予測する。
各単位時間での室内温度は、現在温度１４、目標温度１５、予測した到達時間２１に基づき、温度変化速度（温度傾斜）を求めることで算出できる。
また、各単位時間での室内湿度は、運転データ記憶部８に、予め、温度変化速度（温度傾斜）に対する湿度変化速度（湿度傾斜）の情報を記憶させておき、上記により求めた温度傾斜から当該運転パターンでの湿度傾斜を求め、この湿度傾斜と現在の室内湿度とから算出できる。
そして、演算部６は、各運転パターンについて、上記式から各単位時間における不快指数を算出し、これを積算することで、所定時間（６０分間）の間の不快指数の積算値を求める。
【００４６】
なお、ここでは所定時間の間における積算値としたが、本発明はこれに限るものではなく、室内温度が目標温度に達するまでの間の不快指数の積算値を求めても良い。
【００４７】
（不快レベルの対応付け）
運転データ記憶部８には、予め、不快指数の積算値の範囲と不快レベルとの対応情報が記憶されている。
例えば、下記のようなテーブル情報が記憶される。なお、値は一例である。
不快指数積算値
０〜１０００：レベル０
１００１〜２０００：レベル１
２００１〜３０００：レベル２
３００１〜４０００：レベル３
４００１〜５０００：レベル４
５００１〜６０００：レベル５
【００４８】
演算部６は、運転データ記憶部８を参照し、算出した不快指数の積算値に対応するレベル値を求め、これを不快レベル２２とする。
【００４９】
（Ｓ１０４）
次に、表示・設定部７は、運転データと上記算出値とに基づき、空調機設定画面１０の現在温度１４、目標温度１５、省エネ運転の詳細データ項目１９、快適運転の詳細データ項目２０、到達時間２１、消費電力量２３、グラフ１６を表示する。また、空調機３が冷房運転の場合には、不快レベル２２を表示する。
これにより、利用者は、各運転パターンのそれぞれについて、当該空調機３における運転状況と省エネルギー効果および、在室者の快適性との関係を容易に把握することが可能となる。
【００５０】
なお、グラフ１６における快適運転での予測線１８は、現在温度１４から、目標温度１５と到達時間２１の交点を結んだ線分で描画する。
また、現在温度１４が目標温度１５より高い場合（図５）には、グラフ１６における省エネ運転での予測線１７は、現在温度１４から、目標温度１５と到達時間２１の交点を結んだ線分で描画する。一方、現在温度１４が目標温度１５より低い場合（図６）には、目標温度１５までの温度上昇は空調機３の運転よらない自然上昇となるため、予め設定された温度上昇関数を元に予測線１７を描画する。
【００５１】
なお、省エネ運転の詳細データ項目１９、および快適運転の詳細データ項目２０に表示する不快レベル２２に代えて、またはこれに加えて、不快指数の積算値を表示するようにしても良い。
なお、不快レベル２２の表示方法は、図５、図６に示したように、例えば「レベル２」などの文字情報としても良いし、図９のような不快指数表示指標（図形表示）を用いても良い。例えば図９の例では、レベル値（１〜５）に対応する、表示指標（２０１〜２０５）を表示する。このように、不快指数のレベルを表示指標とすることで、利用者は不快指数を視覚的に認識できる。
【００５２】
（Ｓ１０５）
次に、利用者は、表示・設定部７を操作して、複数の運転パターンから任意のパターンを選択する。この選択操作は、例えば空調機設定画面１０の省エネ運転の詳細データ項目１９、または、快適運転の詳細データ項目２０の何れかを選択する操作でも良いし、グラフ１６内の省エネ運転の予測線１７または快適運転の予測線１８の何れかを選択する操作などでも良い。
【００５３】
（Ｓ１０６）
演算部６は、上記ステップＳ１０５で選択された運転パターンに基づき、空調機３を制御する。つまり、快適運転が選択された場合には、当該空調機３の運転能力を最大値に設定する。また、省エネ運転が選択された場合には、上記ステップＳ１０３で求めた運転能力を空調機３に設定する。
【００５４】
なお、上記図５、図６では、冷房運転の場合を示したが、本発明はこれに限るものではなく、暖房運転の場合でも同様の動作により同様の表示をすることができる。但し、不快指数は冷房運転時の指標であるため暖房運転時には用いない。なお、暖房運転時には、快適指数を算出してこれを表示するようにしても良い。
【００５５】
以上のように本実施の形態においては、空調機３に設定する運転能力がそれぞれ異なる複数の運転パターンを有し、複数の運転パターンのそれぞれについて、室内温度が目標温度に達するまでに要する到達時間２１、および、当該空調機３で消費される消費電力量２３を求める。そして、表示・設定部７は、複数の運転パターンのそれぞれについて、到達時間２１および消費電力量２３の情報を表示する。
このため、空調機３の運転能力が異なる複数の運転パターンについて、室内の快適性に関する情報として到達時間２１を表示し、省エネルギー効果に関する情報として消費電力量２３を表示することができる。よって、室内の快適性と省エネルギー効果とを考慮した空調機３の制御を行うことができる。
【００５６】
また本実施の形態においては、空調機３の運転モードが冷房運転の場合、複数の運転パターンのそれぞれについて不快指数の積算値を求める。そして、表示・設定部７は、複数の運転パターンのそれぞれについて、室内の快適性に関する情報として不快指数の積算値に関する情報（不快レベル２２）を表示する。
このため、室内の快適性と省エネルギー効果とを考慮した空調機３の制御を行うことができる。
【００５７】
また本実施の形態においては、複数の運転パターンには、所定の運転能力を空調機３に設定する省エネ運転パターンと、空調機３の運転能力を最大値に設定する快適運転パターンとを含む。
よって、省エネルギー重視の運転を行った場合と快適性を考慮した運転を行った場合とを比較し、２つのパターンの省エネルギー効果と快適度を利用者に表示することで、利用者が省エネルギー効果だけでなく、快適性の面を考慮した空調機設定を行うことが出来る。
【００５８】
なお、本実施の形態においては、運転データには、空調機３の室内温度、室内湿度、運転モード、および運転能力が含まれる場合を説明したが、本発明はこれに限るものではなく、上述した不快指数を算出しない場合には、少なくとも室内温度の情報を取得すればよい。
【００５９】
実施の形態２．
本実施の形態２では、利用者による操作により、到達時間２１または消費電力量２３の値を変更可能とする形態について説明する。
【００６０】
図１０は実施の形態２に係る冷房運転時の空調機設定画面を示す図である。
本実施の形態においては、運転パターンとして、ユーザ設定運転パターン（以下、ユーザ設定運転という）を有している。
図１０に示すように、本実施の形態における空調機設定画面１０は、快適運転に代えて、ユーザ設定運転の詳細データ項目２４を表示する。
その他の表示は、上記実施の形態１と同様であり、同一部分には同一の符号を付する。
【００６１】
なお、ここでは、快適運転に代えてユーザ設定運転を表示する場合を説明するが、これに限らず、省エネ運転に代えてユーザ設定運転を表示しても良いし、省エネ運転および快適運転に加え、さらにユーザ設定運転を表示しても良い。
【００６２】
図１１は実施の形態２に係る空調機設定画面の表示動作および運転パターンの選択動作を示すフローチャートである。
以下、図１１の各ステップに基づき、上記実施の形態１との相違点を中心に説明する。なお、上記実施の形態１（図７）と同一の動作には同一のステップ番号を付する。
【００６３】
（Ｓ２０１）
上述したステップＳ１０１〜Ｓ１０４の後、利用者は、表示・設定部７を操作して、複数の運転パターンから任意のパターンを選択するとともに、到達時間２１、消費電力量２３、目標温度１５の少なくとも１つについて設定変更の有無を入力する。例えば、運転パターン選択後、「設定値を変更しますか？」などのポップアップメッセージを表示させ、「Ｙｅｓ」または「Ｎｏ」の何れかを選択する。
つまり、省エネ運転または快適運転を選択した場合であっても、設定値を変更する旨の操作がされた場合には、ユーザ設定運転パターンに移行することとなる。
【００６４】
（Ｓ２０２）
演算部６は、設定変更の入力有無を判断し、無い場合にはステップＳ１０６に進み、上述した動作により、空調機３の運転制御を行う。一方、設定変更が有る場合には、ステップＳ２０３に進む。
なお、パターン選択の際に、ユーザ設定運転パターンを選択する操作がされた場合には、このステップは省略してステップＳ２０３に進むようにしても良い。
【００６５】
（Ｓ２０３）
利用者は、表示・設定部７を操作して、到達時間２１、消費電力量２３、目標温度１５の少なくとも１つについて、所望の値を入力する。
なお、ここで入力する到達時間２１は、本発明における「目標到達時間」に相当する。
また、ここで入力する消費電力量２３は、本発明における「目標消費電力量」に相当する。
【００６６】
（Ｓ２０４）
目標温度１５の値が変更された場合、更新後の目標温度１５を用いて、上記ステップＳ１０４と同様の動作により、再度、予測演算を行う。
【００６７】
到達時間２１の値が変更された場合、演算部６は、更新後の到達時間２１と現在温度１４とに基づき、室内温度が目標温度に達するまでに要する時間が、更新後の到達時間２１となる空調機３の運転能力を求める。
例えば、運転能力ごとの温度変化速度（温度傾斜）を実験値やシミュレーション等により取得して、または、過去の運転データから取得して、これを運転データ記憶部８に記憶させる。演算部６は、現在温度１４と更新後の到達時間２１から温度傾斜を求め、運転データ記憶部８を参照して、当該温度傾斜に対応する運転能力を取得する。
運転能力が更新された場合には、上記ステップＳ１０４と同様の動作により、再度、消費電力量２３の予測値を求める。また、当該空調機３が冷房運転の場合には、不快指数の積算値の予測値、および、これに対応する不快レベル２２を求める。
【００６８】
消費電力量２３の値が変更された場合、演算部６は、更新後の消費電力量２３と現在温度１４とに基づき、室内温度が目標温度に達するまでの間に空調機３で消費される電力量が、更新後の消費電力量２３となる空調機３の運転能力を求める。
例えば上述した運転能力を消費電力に換算する関数から逆算することで、運転能力を求めることができる。
運転能力が更新された場合には、上記ステップＳ１０４と同様の動作により、再度、到達時間２１の予測値を求める。また、当該空調機３が冷房運転の場合には、不快指数の積算値の予測値、および、これに対応する不快レベル２２を求める。
【００６９】
（Ｓ１０４）
上述した実施の形態１と同様に、空調機設定画面１０を表示する。このとき、上記ステップＳ２０４での予測値に表示を更新する。
例えば、図１０に示すように、ユーザ設定運転の詳細データ項目２４の表示を更新する。また、上記ステップＳ２０４で求めた予測値に基づき、グラフ１６にユーザ設定運転での予測線２５を描画する。
【００７０】
以降、上記と同様にステップＳ２０１、Ｓ２０２を実施し、ステップＳ２０２で設定変更が無い場合には、ステップＳ１０６へ進み、ステップＳ２０４で求めた運転能力を空調機３に設定する。
【００７１】
以上のように本実施の形態においては、表示・設定部７から入力された情報（目標到達時間、目標消費電力量）に基づき、到達時間２１、消費電力量２３を更新し、空調機３の運転能力を求め、該運転能力を空調機３に設定する。
このため、利用者が所望する運転条件により、室内の快適性に関する情報と省エネルギー効果に関する情報とを表示することができる。よって、利用者の希望に添った細かな制御が可能となる。
【００７２】
実施の形態３．
図１２は実施の形態３に係る消費電力表示画面を示す図である。
上記実施の形態１で説明したように、現在の運転状態表示画面９において、利用者により、消費電力表示画面ボタン４２を選択する操作が入力されると、消費電力表示画面１１に画面遷移する。
図１２に示すように、消費電力表示画面１１は、複数の空調機３のそれぞれについての消費電力３４（瞬時値）を棒グラフとして表示したグラフ３５と、各空調機３のそれぞれの現在温度４６と、目標温度４７とを表示する。
各空調機３の消費電力３４の値は、上記実施の形態１または２の動作により空調機３に設定された運転パターンに基づき、設定した運転能力から消費電力に換算することで求めることができる。
なお、通信部５から取得した運転データに基づき、消費電力を求めるようにしても良い。例えば、上述した運転能力比選定表３９を用いて、室内温度と室内湿度とから求めても良い。また例えば、各空調機３に消費電力の計測器を設けて、この情報を取得するようにしても良い。
【００７３】
現在温度４６は、通信部５により取得された情報である。
目標温度４７は、利用者の入力操作により各空調機３に設定された温度である。なお、目標温度４７は、例えばビル管理システム１からの指令情報、または、空調機３に設けられたリモコン等からの入力により設定しても良い。
【００７４】
また、消費電力表示画面１１には、週表示ボタン４４、月表示ボタン４５、操作ボタン４１が設けられている。
運転データ記憶部８には、上記により算出された消費電力が逐次記憶される。
週表示ボタン４４が選択されると、演算部６は、運転データ記憶部８を参照し、各空調機３における過去１週間の消費電力の情報を取得し、その平均値を算出する。表示・設定部７は、消費電力表示画面１１のグラフ３５に、過去１週間の消費電力の平均値を表示する。
月表示ボタン４５が選択されると、演算部６は、運転データ記憶部８を参照し、各空調機３における過去１ヶ月の消費電力の情報を取得し、その平均値を算出する。表示・設定部７は、消費電力表示画面１１のグラフ３５に、過去１ヶ月の消費電力の平均値を表示する。
なお、本実施の形態では、過去１週間または過去１ヶ月の消費電力の平均値を表示する場合を説明するが、これに限るものではない。例えば、平均値だけでなく各空調機の曜日ごとの消費電力、各空調機の１ヶ月分の消費電力（積算値）を表示するようにしても良い。また、消費電力表示画面１１には表示させる情報に応じた選択ボタン等を設けるようにしても良い。
【００７５】
利用者により、空調機３を選択する操作の後、操作ボタン４１を選択する操作が入力されると、当該空調機３に係る空調機設定画面１０に画面遷移する。
【００７６】
以上のように、複数の空調機３のそれぞれについて、瞬時電力である消費電力３４を表示しているので、利用者は、消費電力が高い空調機を一目で認識できる。
また、現在温度４６と目標温度４７も表示されるため、消費電力と目標温度の関係性を認識できる。
これにより、非効率な運転をしていて省エネルギー化を図れる箇所を利用者が判断できる。
【００７７】
実施の形態４．
図１３は実施の形態４に係る不快指数表示画面を示す図である。
上記実施の形態１で説明したように、現在の運転状態表示画面９において、利用者により、不快指数表示画面ボタン４３を選択する操作が入力されると、不快指数表示画面１２に画面遷移する。
図１３に示すように、不快指数表示画面１２は、複数の空調機３のうち運転モードが冷房運転である空調機３について、現在の不快指数３６を棒グラフとして表示したグラフ３７を表示する。
各空調機３の不快指数３６は、通信部５により取得された現在の室内温度と室内湿度の情報に基づき、上記実施の形態１で説明した算出式により求めることができる。
なお、図１３の例では、不快指数３６を数値に対応する棒グラフで表す場合を説明するが、これに限らず、上記実施の形態１と同様に、不快指数３６の数値を不快レベルに換算する対応情報を、予め、運転データ記憶部８に記憶させておき、これを参照することで不快レベルを表示するようにしても良い。
【００７８】
また、不快指数表示画面１２には、操作ボタン４１が設けられており、利用者により、空調機３を選択する操作の後、操作ボタン４１を選択する操作が入力されると、当該空調機３に係る空調機設定画面１０に画面遷移する。
【００７９】
以上のように、複数の空調機３のうち運転モードが冷房運転である空調機３について、現在の不快指数３６を表示しているので、利用者は、不快指数が高い空調機３を一目で認識できる。
これにより、空調機３が配置された各フロアについて、室内の快適性が低い箇所を利用者が判断できる。
【００８０】
実施の形態５．
本実施の形態においては、デマンド制御を考慮した空調機設定画面１０の表示を行う。
なお、デマンド制御とは、複数の空調機３の消費電力の合計値が、所定値（例えば契約電力）を下回るように、空調機３の能力を抑制する制御を指す。
【００８１】
図１４は実施の形態５に係る空調システム制御装置が配置されるビル管理構成を示す組織図である。
図１４において、本実施の形態に係る空調システム制御装置２は、デマンド判断部５０と接続されている。なお、その他の構成は上記実施の形態１と同様であり、同一部分には同一の符号を付する。
【００８２】
デマンド判断部５０は、各空調機３からの運転データを取得して消費電力（瞬時電力）を求め、各空調機３の消費電力の合計値が所定値を下回るように、１つまたは複数の空調機３の運転能力の低下を指示するデマンド信号を送信する。
例えば、複数の空調機３に優先順位を定めて、優先順の低い空調機３から順に運転能力を抑制して、または、運転を停止させ、全体の消費電力が所定値を下回るように制御するデマンド信号を送信する。また例えば、複数の空調機３を一律に運転能力を低下させ、全体の消費電力が所定値を下回るように制御するデマンド信号を送信する。
空調システム制御装置２の通信部５は、デマンド判断部５０からデマンド信号を取得し、デマンド制御を考慮した表示をする。
【００８３】
図１５は実施の形態５に係る冷房運転時の空調機設定画面を示す図である
図１６は実施の形態５に係る空調機設定画面の表示動作および運転パターンの選択動作を示すフローチャートである。
以下、図１６の各ステップに基づき、図１５を参照しつつ、上記実施の形態１、２との相違点を中心に説明する。
【００８４】
（Ｓ３０１）
上記実施の形態１または２と同様の動作により、空調機３の運転能力を設定した後（Ｓ１０４）、演算部６は、室内温度が目標温度１５に到達したか否かを判断する。
目標温度１５に到達した場合には、処理を終了する。
【００８５】
（Ｓ３０２）
室内温度が目標温度１５に到達していない場合、演算部６は、デマンド判断部５０からのデマンド信号の有無を判断する。
デマンド信号を受信していない場合には、上記ステップＳ３０１に戻る。
【００８６】
（Ｓ３０３）
通信部５によりデマンド信号を受信した場合、演算部６は、上記ステップＳ２０１で選択された運転パターンにかかわらず、デマンド信号により指示された空調機３の運転能力を、デマンド制御に対応した所定の運転能力に設定する。
例えば、運転データ記憶部８に、予め、デマンド制御時の運転パターンを記憶させ、演算部６は、これを参照することで、デマンド制御に対応した運転能力を取得する。
なお、デマンド制御における運転能力の設定はこれに限るものではなく、デマンド信号に空調機３に対する運転能力の情報を含め、演算部６はデマンド信号により指示された運転能力を設置するようにしても良い。
【００８７】
また、演算部６は、取得した運転能力と現在の室内温度とに基づき、上記ステップＳ１０４と同様の動作により、到達時間２１、および消費電力量２３の予測演算を再度行う。また、当該空調機３が冷房運転の場合には、不快指数の積算値の予測値、および、これに対応する不快レベル２２を求める。
【００８８】
（Ｓ３０４）
次に、表示・設定部７は、上記ステップＳ３０３で算出されたデマンド制御時における、到達時間２１および消費電力量２３を表示する。また当該空調機３が冷房運転の場合には、不快指数の積算値の予測値、および、これに対応する不快レベル２２を表示する。
例えば図１２に示すように、例えば快適運転を実行中に、デマンド制御が働いた場合、デマンド制御の詳細データ項目４９を表示する。
また、上記更新後の予測値に基づき、グラフ１６に描画された快適運転での予測線１８を、上記更新後の予測値に対応したデマンド制御での予測線４８に更新する。なお、図１２において、グラフ１６の基準時間（０分）は、ステップＳ１０３またはＳ２０４で各運転パターンの予測演算を行った時間が基準となる。これにより、運転パターンによる制御の途中でデマンド制御が働いたことが、視覚的に認識することができる。
【００８９】
以上のように本実施の形態においては、選択された運転パターンにかかわらず、デマンド信号により指示された空調機３の運転能力を、デマンド制御に対応した所定の運転能力に設定し、該運転能力と現在の室内温度とに基づき、到達時間２１および消費電力量２３を求める。そして表示・設定部７は、デマンド制御時における、到達時間２１および消費電力量２３の情報を表示する。
このため、運転パターンに基づく制御を実行中に、デマンド制御が実行された場合であっても、当該制御における到達時間２１および消費電力量２３を表示することができる。
また、利用者の操作により運転パターンの切り替えなどを行うことなく、デマンド信号に基づき、各空調機３をデマンド制御することが可能となる。
【符号の説明】
【００９０】
１  ビル管理システム、２  空調システム制御装置、３  空調機、４  温度センサー・湿度センサー、５  通信部、６  演算部、７  表示・設定部、８  運転データ記憶部、９  運転状態表示画面、１０  空調機設定画面、１１  消費電力表示画面、１２  不快指数表示画面、１３  項目、１４  現在温度、１５  目標温度、１６  グラフ、１７  予測線、１８  予測線、１９  省エネ運転の詳細データ項目、２０  快適運転の詳細データ項目、２１  到達時間、２２  不快レベル、２３  消費電力量、２４  ユーザ設定運転の詳細データ項目、２５  予測線、３１  不快指数ボタン、３２  消費電力ボタン、３４  消費電力、３５  グラフ、３６  不快指数、３７  グラフ、３９  運転能力比選定表、４０  運転能力比、４１  操作ボタン、４２  消費電力表示画面ボタン、４３  不快指数表示画面ボタン、４４  週表示ボタン、４５  月表示ボタン、４６  現在温度、４７  目標温度、４８  予測線、４９  デマンド制御の詳細データ項目、５０  デマンド判断部、２０１〜２０５  表示指標。
【図１】
0005745365.tif 000002
【図２】
0005745365.tif 000003
【図３】
0005745365.tif 000004
【図４】
0005745365.tif 000005
【図５】
0005745365.tif 000006
【図６】
0005745365.tif 000007
【図７】
0005745365.tif 000008
【図８】
0005745365.tif 000009
【図９】
0005745365.tif 000010
【図１０】
0005745365.tif 000011
【図１１】
0005745365.tif 000012
【図１２】
0005745365.tif 000013
【図１３】
0005745365.tif 000014
【図１４】
0005745365.tif 000015
【図１５】
0005745365.tif 000016
【図１６】
0005745365.tif 000017